(57)【要約】      （修正有）【課題】天板と脚部との間を補強でき、脚部が誤って天板の裏側に折り畳まれてしまうのを抑制でき、使用時や収納時に使用者が支持部材に当たるのを抑制でき、外観を向上でき、取り扱いが煩雑となるのを防止できる作業台を提供する。【解決手段】この作業台は、天板２と、折り畳み可能な脚部３と、正面視で天板２と脚部３とを繋ぐように設けられた支持部材とを有する。支持部材の２つのリンク部材１１、２１は、その固定部３２が天板２及び脚部３から離れる方向に移動するように２つのリンク部材１１、２１が回動することにより脚部３を折り畳み可能であるとともに、脚部３を折り畳む際に回動する方向と逆方向に回動する際は、係合部３１によって所定の角度以上回動しないようにされている。また、２つのリンク部材１１、２１のリンク本体部分１２、２２は、平面視で天板２と重なっている。【選択図】図５
0003210741.tif 000002
【実用新案登録請求の範囲】
【請求項１】
天板と前記天板の裏側に折り畳み可能な脚部とを備えた作業台であって、
正面視で前記天板と前記脚部とを繋ぐように設けられた支持部材を有し、
前記支持部材は、
前記天板に回動可能に固定された第１リンク部材と、
前記脚部及び前記第１リンク部材にそれぞれ回動可能に固定された第２リンク部材と
を含み、
前記第１リンク部材及び前記第２リンク部材の少なくとも一方には、前記第１リンク部材と前記第２リンク部材とを係合させる係合部が設けられ、
前記第１リンク部材及び前記第２リンク部材は、
その固定部が前記天板及び前記脚部から離れる方向に移動するように前記第１リンク部材及び前記第２リンク部材が回動することにより前記脚部を折り畳み可能であるとともに、前記脚部を折り畳む際に回動する方向と逆方向に回動する際は、前記係合部によって所定の角度以上回動しないようにされており、
前記第１リンク部材のリンク本体部分及び前記第２リンク部材のリンク本体部分は、平面視で前記天板と重なっている、ことを特徴とする、作業台。
【請求項２】
前記脚部は、前記天板から下方に延びた一対の脚部本体と、前記一対の脚部本体を連結するステップとを有し、
前記第２リンク部材は、前記脚部本体に固定され、
前記第１リンク部材のリンク本体部分及び前記第２リンク部材のリンク本体部分は、側面視で前記脚部本体と重なっている、ことを特徴とする、請求項１に記載の作業台。
【請求項３】
前記第１リンク部材及び前記第２リンク部材の少なくとも一方には、
前記固定部が前記天板及び前記脚部から離れる方向に移動するように前記第１リンク部材及び前記第２リンク部材を回動させる際に用いるレバーが設けられており、
前記レバーは、平面視で前記天板より前方又は後方に突出している、ことを特徴とする、請求項１又は２に記載の作業台。
【考案の詳細な説明】
【技術分野】
【０００１】
本考案は、天板と天板の裏側に折り畳み可能な脚部とを備えた作業台に関する。
【背景技術】
【０００２】
従来から、天板と天板の裏側に折り畳み可能な脚部とを備えた作業台が知られている（例えば特許文献１参照）。このような作業台では、天板と脚部を補強するため、及び使用時に脚部が誤って天板の裏側に折り畳まれてしまうのを防止するため、正面視で天板と脚部とを繋ぐように支持部材を設けることが望ましい。このような支持部材としては、例えば脚立の脚部間に設けられた連結具（例えば特許文献２の掛け止め金具１２参照）を用いることが考えられる。特許文献２に記載の掛け止め金具１２では、脚立の使用時に一方の脚部２のピン１３に掛け止め金具１２のフック１２Ａを引っ掛け、脚立の収納時はピン１３からフック１２Ａを取り外す。
【先行技術文献】
【特許文献】
【０００３】
【特許文献１】特開平１０−７７７３５号公報
【特許文献２】特開２００６−２４１９１３号公報
【考案の概要】
【考案が解決しようとする課題】
【０００４】
上記のような連結具を作業台の支持部材に適用した場合、支持部材が天板や脚部の側面（前側や後側の側面）に配置されるため、使用時や収納時に使用者が支持部材に当たって怪我をするおそれがあり、外観もよくない。また、上記のような連結具は、ピンにフックを引っ掛ける構成であるため、使用時に誤ってフックがピンから外れ、脚部が誤って天板の裏側に折り畳まれてしまうおそれがある。さらに、収納時はフックがピンから外れる構成であるため、取り扱いが煩雑となる。
【０００５】
そこで、本考案の目的は、天板と脚部との間を補強でき、脚部が誤って天板の裏側に折り畳まれてしまうのを抑制でき、使用時や収納時に使用者が支持部材に当たるのを抑制でき、外観を向上でき、取り扱いが煩雑となるのを防止できる作業台を提供することを目的とする。
【課題を解決するための手段】
【０００６】
第１の考案にかかる作業台は、天板と前記天板の裏側に折り畳み可能な脚部とを備えた作業台であって、正面視で前記天板と前記脚部とを繋ぐように設けられた支持部材を有し、前記支持部材は、前記天板に回動可能に固定された第１リンク部材と、前記脚部及び前記第１リンク部材にそれぞれ回動可能に固定された第２リンク部材とを含み、前記第１リンク部材及び前記第２リンク部材の少なくとも一方には、前記第１リンク部材と前記第２リンク部材とを係合させる係合部が設けられ、前記第１リンク部材及び前記第２リンク部材は、その固定部が前記天板及び前記脚部から離れる方向に移動するように前記第１リンク部材及び前記第２リンク部材が回動することにより前記脚部を折り畳み可能であるとともに、前記脚部を折り畳む際に回動する方向と逆方向に回動する際は、前記係合部によって所定の角度以上回動しないようにされており、前記第１リンク部材のリンク本体部分及び前記第２リンク部材のリンク本体部分は、平面視で前記天板と重なっている、ことを特徴とする。
【０００７】
この作業台では、正面視で天板と脚部とを繋ぐように支持部材が設けられるので、天板と脚部との間を補強できる。また、支持部材の２つのリンク部材が脚部を折り畳む際に回動する方向と逆方向に回動する際は、係合部によって所定の角度以上回動しないようにされているので、使用時に脚部が誤って天板の裏側に折り畳まれてしまうのを抑制できる。また、２つのリンク部材の２つのリンク本体部分が平面視で天板と重なるので、つまり、支持部材が天板の前方の側面や後方の側面に配置されないので、使用時や収納時に使用者が支持部材に当たるのを抑制でき、外観を向上できる。また、２つのリンク部材が天板と脚部に固定されている、つまり、使用者が取り外しできないように固定されているので、取り扱いが煩雑となるのを防止できる。
以上より、天板と脚部との間を補強でき、脚部が誤って天板の裏側に折り畳まれてしまうのを抑制でき、使用時や収納時に使用者が支持部材に当たるのを抑制でき、外観を向上でき、取り扱いが煩雑となるのを防止できる作業台を提供できる。
【０００８】
第２の考案にかかる作業台は、前記脚部は、前記天板から下方に延びた一対の脚部本体と、前記一対の脚部本体を連結するステップとを有し、前記第２リンク部材は、前記脚部本体に固定され、前記第１リンク部材のリンク本体部分及び前記第２リンク部材のリンク本体部分は、側面視で前記脚部本体と重なっている、ことを特徴とする。
【０００９】
この作業台では、第２リンク部材が脚部の脚部本体に固定されるので、例えば第２リンク部材が脚部のステップに固定される場合に比べて、使用者がステップを使用するときの安全性を向上できる。また、２つのリンク部材のリンク本体部分が側面視で脚部本体と重なる、つまり側面視でリンク本体部分が見えないので、外観を向上できる。
【００１０】
第３の考案にかかる作業台は、前記第１リンク部材及び前記第２リンク部材の少なくとも一方には、前記固定部が前記天板及び前記脚部から離れる方向に移動するように前記第１リンク部材及び前記第２リンク部材を回動させる際に用いるレバーが設けられており、前記レバーは、平面視で前記天板より前方又は後方に突出している、ことを特徴とする。
【００１１】
この作業台では、２つのリンク部材を回動させるためのレバーが、平面視で天板より前方又は後方に突出しているので、２つのリンク部材のリンク本体部分を平面視で天板と重ねた場合においても、レバーを操作しやすい。
【考案の効果】
【００１２】
この考案によれば、天板と脚部との間を補強でき、脚部が誤って天板の裏側に折り畳まれてしまうのを抑制でき、使用時や収納時に使用者が支持部材に当たるのを抑制でき、外観を向上でき、取り扱いが煩雑となるのを防止できる作業台を提供できる。
【図面の簡単な説明】
【００１３】
【図１】本考案の実施形態にかかる作業台の斜視図である。
【図２】本考案の実施形態にかかる作業台の正面図である。
【図３】本考案の実施形態にかかる作業台の平面図である。
【図４】本考案の実施形態にかかる作業台の左側面図である。
【図５】図２のＡ部拡大図である。
【図６】図１のＢ部拡大図である。
【図７】本考案の実施形態にかかる作業台の脚部が折り畳まれた状態における正面図である。
【考案を実施するための形態】
【００１４】
以下、本考案の実施の形態にかかる作業台を図１〜図７を参照しつつ説明する。本考案の実施の形態にかかる作業台１は、例えば踏み台などの作業台である。
【００１５】
本考案において、図１に示す前後方向を前後方向とし、図１に示す左右方向を左右方向とし、図１に示す上下方向を上下方向とする。また、本考案において、正面視とは、天板２を前から見たときを指し、平面視とは、天板２を上から見たときを指し、側面視とは、天板２を左又は右から見たときを指す。本実施形態の作業台１では、正面視と背面視が同じであり、左側面視と右側面視が同じである。
【００１６】
［作業台１の全体構成］
図１に示すように、作業台１は、天板２と、天板２の裏側（下方側）に折り畳み可能な２つの脚部３、３とを有する。天板２は、例えば矩形状である。各脚部３、３は、天板２から下方に向かって延びた一対の脚部本体４、４と、脚部本体４、４を連結する１又は複数のステップ５（本実施形態では２つ）とを有している。２つの脚部３、３は、例えば天板２の長手方向両端部から下方に延びている。各脚部３、３は、天板２に回動可能に設けられ、回動軸６、６（図７参照）を中心に回動して、図１に示す使用時の状態と図７に示す収納時の状態の範囲内で回動する。
【００１７】
図２に示すように、この作業台１は、正面視で天板２と脚部３、３とを繋ぐように設けられた支持部材１０を有している。支持部材１０は、天板２と４本の脚部３との間のそれぞれ４箇所に設けられている。ただし、支持部材は、１つ又は複数設けられていればよい。また、支持部材１０は、天板２と脚部３の脚部本体４とを繋ぐように設けられるが、天板と脚部のステップとを繋ぐように設けられてもよい。
【００１８】
また、天板２と４つの脚部３との接続部分には、それぞれ、フックを有する掛け止め金具７が設けられている。この掛け止め金具７は、天板２に固定されており、使用時に脚部３を開いた状態でフックを脚部３のピンに引っ掛けて天板２と脚部３をロックする。また、脚部３を収納する際は、フックをピンから外す。ただし、掛け止め金具は、脚部に固定されており、使用時に脚部を開いた状態でフックを天板のピンに引っ掛けてロックする構成であってもよいし、掛け止め金具は、なくてもよい。
【００１９】
［支持部材１０の詳細構成］
次に支持部材１０の詳細の構成について、図１〜図７を参照しつつ説明する。４つの支持部材１０の構成は全て同じであるので、図５のＡ部及び図６のＢ部に示す右前側の支持部材１０について主に説明する。
【００２０】
図５、６に示すように、この支持部材１０は、天板２に回動可能に固定された第１リンク部材１１と、脚部３及び第１リンク部材１１にそれぞれ回動可能に固定された第２リンク部材２１とを含む。第１リンク部材１１は、天板２に固定された止め具１３にリベット等で取り外し不能なように固定され、第２リンク部材２１は、脚部本体３に固定された止め具２３にリベット等で取り外し不能なように固定された。止め具１３は、天板２の前側の側面に取り付けられるとともに、天板２の裏側に屈曲した屈曲部１４を有し、この屈曲部１４において第１リンク部材１１を回動可能に取り付ける。止め具２３は、脚部本体３の前側の側面に取り付けられるとともに、脚部本体３の内側に屈曲した屈曲部２４を有し、この屈曲部２４において第２リンク部材２１を回動可能に取り付ける。第１リンク部材１１及び第２リンク部分２１は、それぞれ、リンク本体部分１２、２２を有する。リンク本体部分１２、２２は、略矩形の板状であるが、その形状は特にこれに限定されない。
【００２１】
第１リンク部材１１及び第２リンク部材２１の少なくとも一方には、第１リンク部材１１と第２リンク部材２１とを係合させる係合部３１が設けられる。第１リンク部材１１及び第２リンク部材２１は、その固定部３２（第１リンク部材１１と第２リンク部材２１との固定部３２）が天板２及び脚部３から離れる方向（図５の矢印Ｂ方向）に移動するように第１リンク部材１１及び第２リンク部材１２が回動する。すなわち、図５に示す右前側の支持部材１０では、第１リンク部材１１は天板２に対して正面視で時計周りに回動し、第２リンク部材２１は脚部本体３に対して正面視で反時計周りに回動する。つまり、図５の角度αが小さくなる方向に回動する。それにより、脚部３を折り畳み可能であり、図７に示すように作業台１を収納状態にできる。一方で、第１リンク部材１１及び第２リンク部材２１が脚部３を折り畳む際に回動させる方向と逆方向に回動する際は（つまり、固定部３２が天板２及び脚部３に近づくように回動する場合である。図５に示す右前側の支持部材１０では、第１リンク部材１１は天板２に対して正面視で反時計周りに回動し、第２リンク部材２１は脚部本体３に対して正面視で時計周りに回動する。換言すれば、図５の角度αが大きくなる方向に回動する。）、係合部３１によって所定の角度以上回動しないようにされている。本実施形態では、角度αが例えば１８０度以上開かないようにされている。それにより、使用者が誤って脚部３に当たるなどした場合であっても、脚部３が誤って折り畳まれてしまうことが防止される。
【００２２】
係合部３１は、本実施形態では、第１リンク部材１１に設けられる。この係合部３１は、第１リンク部材１１のリンク本体部分１２から前方に突出した突起であり、第１リンク部材１１及び第２リンク部材２１が所定の角度（本実施形態では、角度αが例えば１８０度）開くと、第１リンク部材１１の係合部３１と、第２リンク部材２１の端部２５が係合して、所定の角度以上開かなくなるに構成されている。ただし、係合部は第２リンク部材に設けられても良いし、第１リンク部材及び第２リンク部材両方に設けられることで第１リンク部材及び第２リンク部材が係合するものであってもよい。
【００２３】
また、固定部３２は、第１リンク部材１１のリンク本体部分１２と第２リンク部材２１のリンク本体部分２２とを、リベット等で取り外し不能且つ回動可能に固定した部分である。
【００２４】
図３に示すように、第１リンク部材１１のリンク本体部分１２及び第２リンク部材２１のリンク本体部分２２は、平面視で天板２と重なっている。また、図４に示すように、第１リンク部材１１のリンク本体部分１２及び第２リンク部材２１のリンク本体部分２２は、側面視で脚部本体４と重なっている。本実施形態では、止め具１３、２３が屈曲部１４、２４を有し、その屈曲部１４、２４に第１リンク部材１１及び第２リンク部材２１が固定されることにより、２つのリンク本体部分１２、２２が、平面視で天板２と重なり且つ側面視で脚部本体４と重なる。
【００２５】
図５、６に示すように、第１リンク部材１１及び第２リンク部材２１の少なくとも一方には、固定部３２が天板２及び脚部３から離れる方向に移動するように第１リンク部材１１及び第２リンク部材２１を回動させる際に用いるレバー３３が設けられている。図３に示すように、レバー３３は、平面視で天板２より前方に突出している。また、図３に示すように、他の３つの支持部材１０もレバー３３が、平面視で天板２より前方又は後方に突出している。レバー３３は、第２リンク部材２１に設けられている。このレバー３３は、第２リンク部材２１のリンク本体部分２２から突出した突出部である。ただし、レバーは、第１リンク部材に設けられても良いし、第１リンク部材及び第２リンク部材に設けられても良いし、なくてもよい。また、レバーの構成はこれに限られない。
【００２６】
［効果］
この作業台１では、正面視で天板２と脚部３とを繋ぐように支持部材１０が設けられるので、天板２と脚部３との間を補強できる。また、支持部材１０の２つのリンク部材１１、２１が脚部３を折り畳む際に回動させる方向と逆方向に回動する際は、係合部３１によって所定の角度以上回動しないようにされているので、使用時に脚部３が誤って天板２の裏側に折り畳まれてしまうのを抑制できる。また、２つのリンク部材１１、２１の２つのリンク本体部分１２、２２が平面視で天板２と重なるので、つまり、支持部材１０が天板２の前方の側面や後方の側面に配置されないので、使用時や収納時に使用者が支持部材１０に当たるのを抑制でき、外観を向上できる。また、２つのリンク部材１１、２１が天板２と脚部３に固定されている、つまり、使用者が取り外しできないように固定されているので、取り扱いが煩雑となるのを防止できる。
以上より、天板２と脚部３との間を補強でき、脚部３が誤って天板２の裏側に折り畳まれてしまうのを抑制でき、使用時や収納時に使用者が支持部材１０に当たるのを抑制でき、外観を向上でき、取り扱いが煩雑となるのを防止できる作業台１を提供できる。
【００２７】
また、この作業台１では、第２リンク部材２１が脚部３の脚部本体４に固定されるので、例えば第２リンク部材が脚部のステップに固定される場合に比べて、使用者がステップを使用するときの安全性を向上できる。また、２つのリンク部材１１、２１のリンク本体部分１２、２２が側面視で脚部本体４と重なる、つまり側面視でリンク本体部分１２、２２が見えないので、外観を向上できる。
【００２８】
また、この作業台１では、２つのリンク部材１１、２１を回動させるためのレバー３３が、平面視で天板２より前方又は後方に突出しているので、２つのリンク部材２１、２２のリンク本体部分１２、２２を平面視で天板２と重ねた場合においても、レバー３３を操作しやすい。
【００２９】
以上、本考案の実施形態について図面に基づいて説明したが、具体的な構成は、これらの実施形態に限定されるものでない。本考案の範囲は、上記した実施形態の説明ではなく実用新案登録請求の範囲によって示され、さらに実用新案登録請求の範囲と均等の意味および範囲内でのすべての変更が含まれる。
【符号の説明】
【００３０】
１  作業台
２  天板
３  脚部
４  脚部本体
５  ステップ
６  回転軸
７  掛け止め金具
１０  支持部材
１１  第１リンク部材
１２、２２  リンク部本体
１３、２３  止め具
１４、２４  屈曲部
２１  第２リンク部材
２５  端部
３１  係合部
３２  固定部
３３  レバー
【図１】
0003210741.tif 000003
【図２】
0003210741.tif 000004
【図３】
0003210741.tif 000005
【図４】
0003210741.tif 000006
【図５】
0003210741.tif 000007
【図６】
0003210741.tif 000008
【図７】
0003210741.tif 000009